(57)【特許請求の範囲】
【請求項１】
データ放送用のデータが重畳されたテレビジョン放送信号を受信し、受信したテレビジョン放送信号から映像データとデータ放送用のデータとを抽出する第１通信手段と、
少なくともデータ通信または電話通信を行うための第２通信手段と、
表示領域の形状が長方形で、表示領域の向きが変更可能に構成され、前記映像データに基づく画像、前記データ放送用のデータに基づく画像および前記電子メールの受信または前記電話通信による着信に関連する画像データに基づく第１の画像を表示する表示手段と、
前記表示手段の表示領域の向きを検出する検出手段と、
前記検出手段によって、表示領域の縦の長さが横の長さより短くなる向きであることが検出されると、前記映像データに基づく画像を表示領域全体に表示する表示制御手段と、
データ通信による電子メールの受信または電話通信による着信があったことを、表示領域全体に表示されている前記映像データに基づく画像に、電子メールの受信または電話通信による着信があったことを示す第２の画像を重畳して表示することでユーザに通知する通知手段とを備え、
前記表示制御手段は、
前記電子メールの受信または電話通信による着信があったことを示す第２の画像を表示することで前記通知手段による通知が行われてから所定の時間内に、前記検出手段によって、表示領域の縦の長さが横の長さより長くなる向きであることが検出されると、前記映像データに基づく画像と、前記電子メールの受信または前記電話通信による着信に関連する画像データに基づく第１の画像とを、表示領域に縦に並べて表示し、
前記通知手段による通知が行われてから所定の時間経過後に、前記検出手段によって、表示領域の縦の長さが横の長さより長くなる向きであることが検出されると、前記映像データに基づく画像と前記データ放送用のデータに基づく画像とを、表示領域に縦に並べて表示することを特徴とする携帯端末装置。
【請求項２】
前記表示制御手段は、前記通知手段による通知が行われてから所定の時間経過後に、電子メールの受信または電話通信による着信があったことを示す第２の画像を非表示とすることを特徴とする請求項１記載の携帯端末装置。
【請求項３】
前記表示制御手段は、
前記表示手段の表示領域の向きが、表示領域の縦の長さが横の長さより短くなる向きであるときに、電話通信による着信が１回あり、前記通知手段によって、前記電話通信による着信があったことの通知が行われてから所定の時間内に、前記検出手段によって、表示領域の縦の長さが横の長さより長くなる向きであることが検出されると、前記映像データに基づく画像と、前記電話通信による着信に対するコールバック画像とを、表示領域に縦に並べて表示し、
前記表示手段の表示領域の向きが、表示領域の縦の長さが横の長さより短くなる向きであるときに、電話通信による着信が２回以上あり、前記通知手段によって、前記電話通信による着信があったことの通知が行われてから所定の時間内に、前記検出手段によって、表示領域の縦の長さが横の長さより長くなる向きであることが検出されると、前記映像データに基づく画像と、前記電話通信による着信の着信履歴画像とを、表示領域に縦に並べて表示することを特徴とする請求項１または２記載の携帯端末装置。
【請求項４】
電子メールの作成および送信を行う電子メール送信手段をさらに備え、
表示領域の縦の長さが横の長さより長くなる向きであって、前記映像データに基づく画像が表示されている状態で、前記電子メール送信手段が動作する場合、現在表示されている映像データの放送チャンネルを検出するとともに、検出したチャンネルへの切り替えを行うコマンドを電子メールに挿入して送信することが可能に構成されることを特徴とする請求項１〜３のいずれか１つに記載の携帯端末装置。
【請求項５】
電子メールに挿入された放送チャンネルの切り替えコマンドを実行するコマンド実行手段をさらに備え、
受信した電子メールに放送チャンネルの切り替えを行うコマンドが挿入されている場合、
前記コマンド実行手段は、表示領域に表示させる映像データの放送チャンネルを切り替えることを特徴とする請求項１〜４のいずれか１つに記載の携帯端末装置。
【発明の詳細な説明】
【技術分野】
【０００１】
本発明は、テレビジョン放送信号を受信し、テレビジョン放送番組の映像を表示することができる携帯端末装置に関する。
【背景技術】
【０００２】
携帯電話機に代表される携帯型端末装置は、画像などを表示するための表示部を備えており、この表示部は、表示領域を大きく確保するために、筐体の設置面とほぼ同じ長方形となっているものが多い。
【０００３】
表示部には、静止画だけではなく、動画も表示することが可能で、受像したテレビジョン放送信号に基づいてテレビジョン放送番組を表示することも可能である。テレビジョン放送の映像は、縦横比が３対４または９対１６と横長であるため、テレビジョン放送番組を表示する際は、携帯型端末装置を傾けたり、表示部のみを回転するなどして、ユーザから見て表示部が横長になるような状態で表示することが望ましい。
【０００４】
テレビジョン放送については、映像および音声をデジタルデータで伝送する地上デジタル放送が開始され、データ放送、携帯電話機向け放送など新しい放送サービスが期待される。たとえばデータ放送では、文字、記号、画像などによる情報などを放送波に重畳させて伝送することで、視聴者に対して放送番組に応じた各種の情報も発信することができる。特許文献１記載のテレビジョン放送の受信装置は、表示領域をディスプレイの中央で左右に分割し、それぞれの表示領域に異なる放送番組を表示したり、一方の表示領域に表示している放送番組に応じた各種情報を他方の表示領域に表示することを可能としている。
【０００５】
また、特許文献２記載の液晶パネルの駆動装置、特許文献３記載の表示装置では、表示領域が縦長の場合、上下に分割して異なる２つの画像を表示し、横長の場合、１つの画像を表示している。
【０００６】
【特許文献１】特開平９−２３３４３９号公報
【特許文献２】特開平１１−１１９７３７号公報
【特許文献３】特開２００３−６６９３４号公報
【発明の開示】
【発明が解決しようとする課題】
【０００７】
特許文献１の受信装置の場合、分割後の表示領域の縦横比が映像の縦横比と大きく異なるため、横方向に圧縮されたような歪んだ画像や、両端など一部を削除した画像など変形した画像を表示する必要がある。特許文献２，３に記載の装置は、表示領域が横長で一方の画像を全領域に表示しているときは、表示されていない他方の画像を確認することができないので、適切なタイミングで他方の画像を見ることができなかったり、見るべき画像を見逃してしまうという問題がある。このような問題を解決しようとすると、表示部の方向を頻繁に変更するなどして他方の画像を表示させる必要があるので、操作が煩雑である。
【０００８】
本発明の目的は、テレビジョン放送の画像を変形することなく表示することが可能で、さらに適切なタイミングで画像を見ることができる携帯端末装置を提供することである。
【課題を解決するための手段】
【０００９】
本発明は、データ放送用のデータが重畳されたテレビジョン放送信号を受信し、受信したテレビジョン放送信号から映像データとデータ放送用のデータとを抽出する第１通信手段と、
少なくともデータ通信または電話通信を行うための第２通信手段と、
表示領域の形状が長方形で、表示領域の向きが変更可能に構成され、前記映像データに基づく画像、前記データ放送用のデータに基づく画像および前記電子メールの受信または前記電話通信による着信に関連する画像データに基づく第１の画像を表示する表示手段と、
前記表示手段の表示領域の向きを検出する検出手段と、
前記検出手段によって、表示領域の縦の長さが横の長さより短くなる向きであることが検出されると、前記映像データに基づく画像を表示領域全体に表示する表示制御手段と、
データ通信による電子メールの受信または電話通信による着信があったことを、表示領域全体に表示されている前記映像データに基づく画像に、電子メールの受信または電話通信による着信があったことを示す第２の画像を重畳して表示することでユーザに通知する通知手段とを備え、
前記表示制御手段は、
前記電子メールの受信または電話通信による着信があったことを示す第２の画像を表示することで前記通知手段による通知が行われてから所定の時間内に、前記検出手段によって、表示領域の縦の長さが横の長さより長くなる向きであることが検出されると、前記映像データに基づく画像と、前記電子メールの受信または前記電話通信による着信に関連する画像データに基づく第１の画像とを、表示領域に縦に並べて表示し、
前記通知手段による通知が行われてから所定の時間経過後に、前記検出手段によって、表示領域の縦の長さが横の長さより長くなる向きであることが検出されると、前記映像データに基づく画像と前記データ放送用のデータに基づく画像とを、表示領域に縦に並べて表示することを特徴とする携帯端末装置である。
【００１０】
また本発明は、前記表示制御手段は、前記通知手段による通知が行われてから所定の時間経過後に、電子メールの受信または電話通信による着信があったことを示す第２の画像を非表示とすることを特徴とする。
【００１１】
また本発明は、前記表示制御手段は、
前記表示手段の表示領域の向きが、表示領域の縦の長さが横の長さより短くなる向きであるときに、電話通信による着信が１回あり、前記通知手段によって、前記電話通信による着信があったことの通知が行われてから所定の時間内に、前記検出手段によって、表示領域の縦の長さが横の長さより長くなる向きであることが検出されると、前記映像データに基づく画像と、前記電話通信による着信に対するコールバック画像とを、表示領域に縦に並べて表示し、
前記表示手段の表示領域の向きが、表示領域の縦の長さが横の長さより短くなる向きであるときに、電話通信による着信が２回以上あり、前記通知手段によって、前記電話通信による着信があったことの通知が行われてから所定の時間内に、前記検出手段によって、表示領域の縦の長さが横の長さより長くなる向きであることが検出されると、前記映像データに基づく画像と、前記電話通信による着信の着信履歴画像とを、表示領域に縦に並べて表示することを特徴とする。
【００１３】
また本発明は、電子メールの作成および送信を行う電子メール送信手段をさらに備え、
表示領域の縦の長さが横の長さより長くなる向きであって、前記映像データに基づく画像が表示されている状態で、前記電子メール送信手段が動作する場合、現在表示されている映像データの放送チャンネルを検出するとともに、検出したチャンネルへの切り替えを行うコマンドを電子メールに挿入して送信することが可能に構成されることを特徴とする。
また本発明は、電子メールに挿入された放送チャンネルの切り替えコマンドを実行するコマンド実行手段をさらに備え、
受信した電子メールに放送チャンネルの切り替えを行うコマンドが挿入されている場合、
前記コマンド実行手段は、表示領域に表示させる映像データの放送チャンネルを切り替えることを特徴とする。
【発明の効果】
【００１４】
本発明によれば、第１通信手段は、データ放送用のデータが重畳されたテレビジョン放送信号を受信すると、受信したテレビジョン放送信号から映像データとデータ放送用のデータとを抽出する。表示手段は、表示領域の形状が長方形で、表示領域の向きが変更可能に構成されており、前記映像データに基づく画像、前記データ放送用のデータに基づく画像を表示する。表示制御手段は、前記検出手段によって、表示領域の縦の長さが横の長さより短くなる向き、すなわち表示領域が横長であることが検出されると、前記映像データに基づく画像を表示領域全体に表示する。表示領域の縦の長さが横の長さより長くなる向き、すなわち表示領域が縦長であることが検出されると、前記映像データに基づく画像と前記データ放送用のデータに基づく画像とを、表示領域に縦に並べて表示する。
【００１５】
映像データに基づく画像とデータ放送用のデータに基づく画像とを表示する際には、表
示領域を縦長として縦に並べて表示するので、テレビジョン放送の画像を変形することなく表示することができる。
【００１６】
また、少なくともデータ通信または電話通信を行うための第２通信手段と、データ通信による電子メールの受信または電話通信による着信があったことをユーザに通知する通知手段とを備える。
【００１７】
前記表示制御手段は、前記通知手段による通知が行われてから所定の時間内に、前記検出手段によって、表示領域の縦の長さが横の長さより長くなる向きであることが検出されると、前記映像データに基づく画像と、前記電子メールの受信または前記電話通信による着信に関連する画像データに基づく第１の画像とを、表示領域に縦に並べて表示する。
【００１８】
通知が行われたときに表示領域の向きを変更すれば、電子メールの受信画面や、着信履歴の画面などが表示されるので、ユーザは、適切なタイミングで必要な画像を見ることができる。
【００１９】
また、前記通知手段は、表示領域全体に表示されている前記映像データに基づく画像に、電子メールの受信または電話通信による着信があったことを示す第２の画像を重畳して表示することで通知する。
【００２０】
ユーザは、テレビジョン放送の画像を見ていることが想定されるので、この画像にアイコン画像を重ねて表示させることで、確実にユーザに通知することができる。
【００２１】
また、前記表示制御手段は、前記通知手段による通知が行われてから所定の時間経過後に、前記検出手段によって、表示領域の縦の長さが横の長さより長くなる向きであることが検出されると、前記映像データに基づく画像と前記データ放送用のデータに基づく画像とを、表示領域に縦に並べて表示する。
【００２２】
ユーザが、前記電子メールの受信または前記電話通信による着信に関連する画像データに基づく第１の画像を見る必要がないと判断した場合は、所定時間経過後に表示領域の向きを変更すれば、データ放送用のデータに基づく画像を見ることができるの使い勝手が向上する。
【００２３】
また本発明によれば、電子メールの作成および送信を行う電子メール送信手段をさらに備えており、表示領域の縦の長さが横の長さより長くなる向きであって、前記映像データに基づく画像が表示されている状態で、前記電子メール送信手段を動作させると、現在表示されている映像データの放送チャンネルを検出するとともに、検出したチャンネルへの切り替えを行うコマンドを電子メールに挿入して送信する。
【００２４】
これにより、簡単な操作でチャンネル切り替えコマンドを挿入した電子メールを作成、送信することができる。
また本発明によれば、電子メールに挿入された放送チャンネルの切り替えコマンドを実行するコマンド実行手段をさらに備えており、受信した電子メールに放送チャンネルの切り替えを行うコマンドが挿入されている場合、コマンド実行手段が、表示領域に表示させる映像データの放送チャンネルを切り替える。
これにより、受信した電子メールを確認しながら容易にチャンネル切り替えを行うことができる。
【発明を実施するための最良の形態】
【００２５】
図１は、本発明の実施の一形態である携帯電話機１の構成を示すブロック図である。
携帯電話機１は、テレビジョン放送用アンテナ２、チューナ部３、放送信号処理部４、ＥＰＧ／データ蓄積部５、制御部６、表示制御部７、表示部８、方向センサ９、移動体通信用アンテナ１０、通信部１１、通信信号処理部１２、メール蓄積部１３、記憶部１４、マイク１５およびスピーカ１６を含んで構成される。
【００２６】
チューナ部３は、テレビジョン放送用アンテナ２を介して、地上デジタル放送用のテレ
ビジョン放送信号を受信する。受信した放送信号には、テレビジョン放送番組（以下では単に「テレビ番組」と呼ぶ。）の映像データおよび音声データ、ＥＰＧ（Electronic
Program Guide）データ、データ放送用データがデジタルデータとして含まれる。データ放送用データには、文字、記号などのテキストデータ、画像データ、ＨＴＭＬ（Hyper
Text Markup Language）データなどを含む。
【００２７】
放送信号処理部４は、受信した放送信号を復号し、テレビジョン放送番組の映像データおよび音声データ、ＥＰＧデータ、データ放送用データを出力する。ＥＰＧ／データ蓄積部５は、ＥＰＧデータおよびデータ放送用データを保存する。制御部６は、携帯電話機の各部を総合的に制御する。
【００２８】
表示制御部７は、制御部６、放送信号処理部４、通信信号処理部１２から入力されるテレビ番組用映像データ、データ放送用画像・テキストデータ、メニュー画面など電話通信用の表示データを表示部８に表示させる表示制御手段である。表示部８は、液晶表示装置などで実現され、縦横比が１：１ではない長方形の平面状表示領域を有する表示手段である。また、表示部８は、表示領域に垂直な軸線まわりに回転可能に設けられており、表示領域が縦長（縦の長さが横の長さより長い）となるような第１の回転位置、表示領域が横長（縦の長さが横の長さより短い）となるような第２の回転位置で少なくとも固定可能に構成されている。表示部８は、ユーザが手動で回転させてもよいし、キー操作などにより、所定の回転位置になるように回転するような機構を備えていてもよい。
【００２９】
電話通信を行う場合など、通常は表示領域が縦長となるような第１の回転位置にある状態で表示部８に必要な画像などを表示させる。テレビ番組の映像を表示する場合は、映像の縦横比に合わせて、表示領域が横長となるような第２の回転位置にある状態で表示部８に映像を表示させる。
【００３０】
方向センサ９は、表示部８が第１の回転位置にあるのか、第２の回転位置にあるのかを検出することで、表示領域の向きを検出する検出手段である。方向センサ９としては、既存の回転角センサなどを用いることができるが、少なくとも第１の回転位置と第２の回転位置とを検出できればよいので、たとえば以下のような検出手段であってもよい。たとえば、接触したときに所定の回路に電流が流れることにより接触したことが検出可能な端子を、表示部８と、携帯電話機１の筐体とにそれぞれ設ける。表示部８には、１つの端子を所定の位置に設け、筐体には、表示部８が第１の回転位置にあるときに表示部８の端子と接触するような位置と、表示部８が第２の回転位置にあるときに表示部８の端子と接触するような位置とにそれぞれ端子を設けることにより、筐体のいずれの端子が接触したかを検出すれば、表示部８の回転位置を検出することができる。
【００３１】
通信部１１は、移動体通信用アンテナ１０を介し、ＲＦ（Radio Frequency）信号によ
って、移動体電話通信を行う。送受信するデータとしては通話音声データ、電子メールデータ、ウェブデータなどが含まれる。
【００３２】
通信信号処理部１２は、通話音声データ、電子メールデータ、ウェブデータの送受信処理を行う。通信部１１で受信した各データの符号化・復号化、電子メールデータのメール蓄積部１３への蓄積、電子メールデータおよびウェブデータの表示データの出力などを行う。
【００３３】
記憶部１４は、通話、電子メール送受信など移動体通信を行うためのプログラム、テレビ番組の視聴、スケジュール管理などを行うためのアプリケーションソフトウェア（以下では単に「アプリ」と呼ぶことがある。）を記憶する。
【００３４】
マイク１５は、通話を行うときに入力される音声を電気信号に変換する。変換された音声信号は、通信信号処理部１２でデジタルデータ化され、送信される。スピーカ１６は、電話通信時に受信した音声データ、テレビジョン放送信号に重畳されている音声データに基づく音声を出力する。
【００３５】
操作部１７は、数字キー、文字キー、ファンクションキーなどの各種キーによって構成され、ユーザが操作することで、電話通信やテレビの視聴、電子メールの送受信などを行うことができる。
【００３６】
第１通信手段は、テレビジョン放送用アンテナ２、チューナ部３、放送信号処理部４で構成され、第２通信手段は、移動体通信用アンテナ１０、通信部１１、通信信号処理部１２で構成される。通知手段は、制御部６、表示制御部７、表示部８で構成される。電子メール送信手段は、制御部６、通信信号処理部１２で構成される。
【００３７】
テレビ番組を視聴する場合、主に表示領域が横長となる第２の回転位置にある状態で表示部８に番組の映像を表示させるが、表示領域が縦長となる第１の回転位置にある状態であっても映像を表示させることが可能となっている。第１の回転位置にある状態では、表示部８の表示領域を上下２つの領域に分割し、テレビ番組の映像と、テレビ番組の映像以外の画像と縦に並べて表示する、いわゆる２画面表示を行う。
【００３８】
図２は、表示制御部７の詳細な構成を示す図である。
表示部８が、第２の回転位置にある状態で、テレビ番組を視聴するためのアプリケーションソフトウェア（以下では単に「テレビアプリ」と呼ぶ。）を起動した場合、放送信号処理部４では、受信したテレビジョン放送信号から、映像データを抽出して表示制御部７に出力する。表示制御部７は、映像データから１画面分の画像データをテレビ番組画面として作成し、表示部８の表示領域全体に連続して動画表示させる。
【００３９】
テレビアプリ起動中に、表示部８が第２の回転位置から第１の回転位置に変化した場合、表示制御部７は、表示部８の表示領域を、表示領域Ａ８ａと表示領域Ｂ８ｂに分割し、それぞれの表示領域に異なる画像を表示させることができる。
【００４０】
放送信号処理部４では、受信したテレビジョン放送信号から、映像データを抽出して表示制御部７に出力する。表示制御部７は、映像データから１画面分の画像データをテレビ番組画面として作成し、表示部８の表示領域Ａ８ａに連続して動画表示させる。
【００４１】
表示制御部７は、受信したテレビジョン放送信号にデータ放送データが重畳されている場合、放送信号処理部４で抽出されたデータ放送データから画像データをデータ放送画面作成し、表示部８の表示領域Ｂ８ｂに表示させる。
【００４２】
電子メールを受信した場合は、受信メールの一覧画面を示す画像データをメーラー画面として作成し、表示部８の表示領域Ｂに表示させる。電話通信の着信があった場合は、コールバック画面を示す画像データ、または着信履歴画面を示す画像データを着信画面として作成し、表示部８の表示領域Ｂ８ｂに表示させる。
【００４３】
表示制御部７は、所定の表示条件に基づいて、データ放送画面、メーラー画面、着信画面およびその他の画面から表示領域Ｂ８ｂに表示させる画面を選択する。
【００４４】
図３は、受信したテレビジョン放送信号にデータ放送データが重畳されている場合の表示画面を示す図である。
【００４５】
表示部８が、第２の回転位置にある状態では、図３（ａ）に示すように、表示部８の表示領域全体にテレビ番組画面を表示する。
【００４６】
テレビアプリ起動中に、表示部８が第２の回転位置から第１の回転位置に変化すると、図３（ｂ）に示すように、表示部８の表示領域Ａ８ａには、引き続きテレビ番組画面を表示し、表示領域Ｂ８ｂには、データ放送画面を表示する。たとえば、テレビ番組が野球中継の場合、データ放送では、チーム成績、選手成績など野球中継に関連する情報が放送局から提供される。表示部８を第１の回転位置にある状態、すなわち、表示領域が縦長である状態にすると、テレビ番組の映像とともに、データ放送で提供されるテレビ番組に関連する情報も表示される。
【００４７】
図４は、電子メールを受信した場合の表示画面を示す図である。
表示部８が、第２の回転位置にある状態では、図４（ａ）に示すように、表示部８の表示領域全体にテレビ番組画面を表示する。このとき、電子メールを受信すると、電子メールを受信したことを通知するためのアイコン画像（以下では単に「メールアイコン」と呼ぶ。）２０をテレビ番組画面に重畳して表示する。メールアイコン２０を表示してから所定の時間が経過すると、テレビ番組画面から消して非表示にする。メールアイコン２０が表示されている間、すなわち、電子メールを受信したことを通知してから所定の時間内に表示部８が第２の回転位置から第１の回転位置に変化すると、図４（ｂ）に示すように、表示領域Ｂ８ｂに、メーラー画面として受信メール一覧画面を表示する。表示領域Ａ８ａには、引き続きテレビ番組画面を表示する。表示領域Ｂ８ｂに、受信メール一覧画面が表示されている状態で、ユーザは、電子メール送受信用ソフトウェアであるメーラーを操作することが可能であり、受信メールの内容表示、送信メールの作成などを行うことができる。
【００４８】
図５は、電話通信の着信があった場合の表示画面を示す図である。
表示部８が、第２の回転位置にある状態では、図５（ａ）に示すように、表示部８の表示領域全体にテレビ番組画面を表示する。このとき、電話通信の着信があると、着信があったことを通知するためのアイコン画像（以下では単に「着信アイコン」と呼ぶ。）２１をテレビ番組画面に重畳して表示する、いわゆるアイコンのポップアップ表示を行う。着信アイコン２１を表示してから所定の時間が経過すると、テレビ番組画面から消して非表示にする。着信アイコン２１が表示されている間、すなわち、着信があったことを通知してから所定の時間内に表示部８が第２の回転位置から第１の回転位置に変化すると、図５（ｂ）に示すように、表示領域Ｂ８ｂに、着信画面としてコールバック画面を表示する。コールバック画面には、たとえば、着信があったことを示す「着信あり」の文字、着信があった日時、相手先の電話番号、相手先の電話番号が電話帳データに登録されている場合は、相手先の名称などが表示される。表示領域Ａ８ａには、引き続きテレビ番組画面を表示する。表示領域Ｂ８ｂに、コールバック画面が表示されている状態で、ユーザが発信キーなど電話通信の発信を指示するためのキーを押すと、コールバック画面に表示されている相手先電話番号に対してコールバックすることができる。
【００４９】
図６は、電話通信の着信があった場合の表示画面を示す図である。
表示部８が、第２の回転位置にある状態では、図６（ａ）に示すように、表示部８の表示領域全体にテレビ番組画面を表示する。このとき、電話通信の着信があると、着信アイコン２１をテレビ番組画面に重畳して表示する。着信アイコン２１を表示してから所定の時間が経過すると、テレビ番組画面から消して非表示にする。表示部８が、第２の回転位置にある状態で２回以上の着信があった場合であって、着信アイコン２１が表示されている間、すなわち、着信があったことを通知してから所定の時間内に表示部８が第２の回転位置から第１の回転位置に変化すると、図６（ｂ）に示すように、表示領域Ｂ８ｂに、着信画面として着信履歴画面を表示する。着信履歴画面には、たとえば、着信履歴を表示し
ていることを示す「着信履歴」の文字、着信があった日時、相手先の電話番号、相手先の電話番号が電話帳データに登録されている場合は、相手先の名称などを、着信ごとに表示する。表示領域Ｂ８ｂに、着信履歴画面が表示されている状態で、ユーザは、各着信の内容を確認し、相手先を選択して電話をかけることができる。
【００５０】
図７は、その他の場合の表示画面を示す図である。
表示部８が、第２の回転位置にある状態では、図７（ａ）に示すように、表示部８の表示領域全体にテレビ番組画面を表示する。テレビジョン放送信号にデータ放送データが重畳されておらず、電子メールの受信も電話通信の着信もないようなその他の場合は、表示部８が第２の回転位置から第１の回転位置に変化すると、ユーザが予め設定しておいたアプリの画面、待ち受け画面などを表示する。たとえば、スケジュール管理用のアプリを設定していた場合、図６（ｂ）に示すように、表示領域Ｂ８ｂに、カレンダー画面を表示する。なお、表示領域Ｂ８ｂに画面を表示するアプリとしては、テレビアプリが起動していない電話通信の待ち受け時に設定されている待ち受けアプリと同じアプリとしてもよいし、２画面表示用の待ち受けアプリとして別に設定してもよい。
【００５１】
メールアイコン２０と着信アイコン２１とは、色や形状を変えるなどユーザがそれぞれを識別可能な画像であることが好ましく、図に示したようにメールアイコン２０であれば手紙を模した画像、着信アイコン２１であれば携帯電話機を模した画像など、ユーザが画像を見ただけでいずれのアイコンであるか理解できる程度の画像であることがより好ましい。
【００５２】
メールアイコン２０と着信アイコン２１のテレビ番組画面内での表示位置は、テレビ番組画面の画像が見やすく、かつアイコン自身も見やすい位置、たとえば表示領域の隅部分などに表示することが好ましい。
【００５３】
また、それぞれのアイコンは、所定時間中は常に表示してもよいし、表示と非表示を一定間隔で繰り返す、いわゆる点滅表示してもよい。
【００５４】
上記では、アイコンのポップアップ表示によって電子メールの受信、電話通信の着信を通知する構成について説明したが、これに限らず、着信メロディなどの音声を出力することで通知することも可能である。
【００５５】
図８Ａおよび図８Ｂは、テレビ番組視聴時の画面表示処理を示すフローチャートである。
【００５６】
テレビアプリが起動すると画面表示処理が開始され、着信カウンタＴＣをクリア（ＴＣ＝０）、メールフラグをオフにする。
【００５７】
ステップＳ１では、表示部８が第２の回転位置（表示領域が横長）の状態であるかどうかを判断する。第２の回転位置であればステップＳ１８に進み、第１の回転位置（表示領域が縦長）であればステップＳ２に進む。ステップＳ２では、電話通信の着信があり、かつ着信拒否設定がオフであるかどうかを判断する。電話通信の着信があり、かつ着信拒否設定がオフであればステップＳ８に進み、電話通信の着信があり、かつ着信拒否設定がオンであればステップＳ３に進む。ステップＳ８では、表示部８に２画面表示を行い、表示領域Ａ８ａには、テレビジョン放送番組を表示し、表示領域Ｂ８ｂには、呼出画面を表示する。このとき、着信音を出力してもよい。
【００５８】
ステップＳ３では着信カウンタが１より大きい（ＴＣ＞１）かどうかを判断する。着信カウンタが１より大きければステップＳ９に進み、着信カウンタが１または０であればス
テップＳ４に進む。ステップＳ９では、表示部８に２画面表示を行い、表示領域Ａ８ａには、テレビジョン放送番組を表示し、表示領域Ｂ８ｂには、着信履歴画面を表示する。このとき着信カウンタをクリアする。
【００５９】
ステップＳ４では、着信カウンタが１であるかどうかを判断する。着信カウンタが１であればステップＳ１０に進み、着信カウンタが１でなければステップＳ５に進む。ステップＳ１０では、表示部８に２画面表示を行い、表示領域Ａ８ａには、テレビジョン放送番組を表示し、表示領域Ｂ８ｂには、コールバック画面を表示する。このとき着信カウンタをクリアする。
【００６０】
ステップＳ５では、メールフラグがオンであるかどうかを判断する、メールフラグがオンであれば、ステップＳ１１に進み、メールフラグがオフであればステップＳ６に進む。ステップＳ１１では、表示部８に２画面表示を行い、表示領域Ａ８ａには、テレビジョン放送番組を表示し、表示領域Ｂ８ｂには、受信メール一覧画面を表示する。このときメールフラグをオフにする。
【００６１】
ステップＳ６ではメールを受信したかどうかを判断する。メールを受信すると、ステップＳ１１に進み、メールを受信しなければステップＳ７に進む。
【００６２】
ステップＳ７では、データ放送が行われているかどうかを判断する。データ放送が行われていればステップＳ１６に進み、行われていなければステップＳ１４に進む。ステップＳ１４では、表示部８に２画面表示を行い、表示領域Ａ８ａには、テレビジョン放送番組を表示し、表示領域Ｂ８ｂには、ユーザが予め設定したアプリの画面を表示する。ステップＳ１５では、ユーザの操作によりテレビアプリが終了したかどうかを判断し、終了していればステップＳ１７に進み、終了していなければステップＳ１に戻る。
【００６３】
ステップＳ１６では、表示部８に２画面表示を行い、表示領域Ａ８ａには、テレビジョン放送番組を表示し、表示領域Ｂ８ｂには、データ放送画面を表示する。
【００６４】
ステップＳ１２では、ユーザの操作によりテレビアプリが終了したかどうかを判断し、終了していればステップＳ１７に進み、終了していなければステップＳ１３に進む。
【００６５】
ステップＳ１３で、ユーザ操作により、メーラーが終了または着信の確認が終了すると、ステップＳ７に進む。
【００６６】
ステップＳ１７では、表示領域Ｂ８ｂに表示されている画面を表示領域全体に表示する。
【００６７】
ステップＳ１８では、表示領域全体にテレビジョン放送番組を表示する。ステップＳ１９では、着信拒否設定がオンであるかどうかを判断し、オンであればステップＳ２０に進み、オフであればステップＳ２３に進む。
【００６８】
ステップＳ２０では、着信があるかどうかを判断し、着信があればステップＳ２１に進み、着信がなければステップＳ２７に進む。
【００６９】
ステップＳ２１では、着信カウンタに１加えて着信アイコンを表示する。ステップＳ２２では、着信アイコンを表示してから所定時間経過したかどうかを判断し、経過していれば、ステップＳ２６に進み、経過していなければステップＳ２７に進む。ステップＳ２６では、着信カウンタをクリアし、着信アイコンを非表示にする。
【００７０】
ステップＳ２３では、着信があるかどうかを判断し、着信があればステップＳ２４に進み、着信がなければステップＳ２７に進む。ステップＳ２４では、着信画面を表示し、着信音を出力する。ステップＳ２５で通話が終了するか、着信が終了するとステップＳ２７に進む。
【００７１】
ステップＳ２７では、メールの受信があるかどうかを判断し、メールの受信があればステップＳ２８に進み、メールの受信がなければステップＳ１に戻る。ステップＳ２８では、メールフラグをオンしてメールアイコンを表示する。
【００７２】
ステップＳ２９では、メールアイコンを表示して所定時間経過したかどうかを判断し、経過していればステップＳ３０に進み、経過していなければステップＳ１に戻る。ステップＳ３０では、メールフラグをオフし、メールアイコンを非表示にする。
【００７３】
本発明では、テレビジョン放送チャンネルの切り替えコマンドを挿入した電子メールを送信することができる。このような電子メールを受信した携帯電話機は、挿入されている切り替えコマンドを実行することでチャンネルを切り替えることができる。
【００７４】
図９は、電子メールによるチャンネル切り替え制御を示す概略図である。
電子メールを送信する側の携帯電話機１では、図４（ｂ）に示したような、表示領域Ａ８ａに、テレビ番組画面を表示し、表示領域Ｂ８ｂに、メーラー画面を表示した状態から、ユーザが電子メールの作成を選択し、チャンネルの切り替えコマンド挿入を指定すると、現在表示領域Ａ８ａに表示されているチャンネルを検出して当該チャンネルに切り替えるコマンドが生成されて電子メールに挿入される。
【００７５】
電子メールを受信する側の携帯電話機１ａは、携帯電話機１と同様の構成を備えている。携帯電話機１ａが、チャンネル切り替えコマンドが挿入された電子メールを受信し、ユーザが、図４（ｂ）に示したような、表示領域Ａ８ａに、テレビ番組画面を表示し、表示領域Ｂ８ｂに、メーラー画面を表示した状態で受信した電子メールに挿入されたコマンドを実行すると、携帯電話機１ａの表示領域Ａ８ａには、実行したコマンドに応じて切り替わったチャンネルのテレビ番組画面が表示される。
【００７６】
２画面表示の状態で電子メールを作成することで簡単にチャンネル切り替えコマンドが挿入された電子メールを作成、送信することができ、また、このような電子メールを受信した側では、受信した電子メールを確認しながら容易にチャンネル切り替えを行うことができる。
【００７７】
上記では、表示部８の表示領域を２つの領域に分割してそれぞれに画像を表示する構成について説明したが、これに限らず３つ以上の領域に分割し、少なくとも１つの領域にテレビ番組画面を表示し、他の領域にデータ放送画面や、メーラー画面を表示するような構
【図面の簡単な説明】
【００７８】
【図１】本発明の実施の一形態である携帯電話機１の構成を示すブロック図である。
【図２】表示制御部７の詳細な構成を示す図である。
【図３】受信したテレビジョン放送信号にデータ放送データが重畳されている場合の表示画面を示す図である。
【図４】電子メールを受信した場合の表示画面を示す図である。
【図５】電話通信の着信があった場合の表示画面を示す図である。
【図６】電話通信の着信があった場合の表示画面を示す図である。
【図７】その他の場合の表示画面を示す図である。
【図８Ａ】テレビ番組視聴時の画面表示処理を示すフローチャートである。
【図８Ｂ】テレビ番組視聴時の画面表示処理を示すフローチャートである。
【図９】電子メールによるチャンネル切り替え制御を示す概略図である。
【符号の説明】
【００７９】
１  携帯電話機
２  テレビジョン放送用アンテナ
３  チューナ部
４  放送信号処理部
５  ＥＰＧ／データ蓄積部
６  制御部
７  表示制御部
８  表示部
８ａ  表示領域Ａ
８ｂ  表示領域Ｂ
９  方向センサ
１０  移動体通信用アンテナ
１１  通信部
１２  通信信号処理部
１３  メール蓄積部
１４  記憶部
１５  マイク
１６  スピーカ
【図１】
0004504302.tif 000002
【図２】
0004504302.tif 000003
【図３】
0004504302.tif 000004
【図４】
0004504302.tif 000005
【図５】
0004504302.tif 000006
【図６】
0004504302.tif 000007
【図７】
0004504302.tif 000008
【図８Ａ】
0004504302.tif 000009
【図８Ｂ】
0004504302.tif 000010
【図９】
0004504302.tif 000011